(57)【要約】      （修正有）【課題】安全性の高い圧力調整弁を備えたコンデンサを提供する。【解決手段】コンデンサ素子を駆動用電解液とともに収容した有底筒状のケースと、このケースの開口部を封止した端子板４とからなり、端子板４に貫通孔４ａを設けるとともに貫通孔４ａを覆うフィルター６と、円筒状でその中心軸が貫通孔４ａの中心軸とほぼ同軸上にあり、内周面上端が外周面の方向に向かって広がるようなテーパ７ａを設けた形状を有し、フィルター６を押さえるゴム製の弁体７と、弁体７を押さえるとともに端子板４上に固定され、通気孔８ａを備えたキャップ８とからなり、キャップ８は内側面の一部が突出した突出部８ｂを有し、この突出部８ｂが弁体７側面に少なくとも３点で接していることを特徴とした圧力調整弁５を備えたコンデンサとする。【選択図】図２
2007335775.tif 000002
【特許請求の範囲】
【請求項１】
正負一対の電極をその間にセパレータを介在させて巻回し、引き出し電極を有したコンデンサ素子と、このコンデンサ素子を駆動用電解液とともに収容した有底筒状のケースと、このケースの開口部を封止した端子板とからなり、前記端子板に貫通孔を設けるとともに前記貫通孔を覆うフィルターと、円筒状でその中心軸が前記貫通孔の中心軸とほぼ同軸上にあり、内周面上端が外周面の方向に向かって広がるようなテーパを設けた形状を有し、前記フィルターを押さえるゴム製の弁体と、前記弁体を押さえるとともに前記端子板上に固定され、通気孔を備えたキャップとからなり、前記キャップは内側面の一部が突出した突出部を有し、この突出部が前記弁体側面に少なくとも３点で接していることを特徴とした圧力調整弁を備えたコンデンサ。
【請求項２】
前記キャップの突出部は、このキャップの側面を部分的に屈曲させて形成した請求項１に記載のコンデンサ。
【発明の詳細な説明】
【技術分野】
【０００１】
本発明は、動作圧の安定した圧力調整弁を用いた安全性に優れたコンデンサに関するものである。
【背景技術】
【０００２】
図４は従来の圧力調整弁を用いたコンデンサの構成を示した断面図であり、図５はその圧力調整弁を拡大した断面図である。
【０００３】
図４において、コンデンサ素子１０１は正負一対の電極（図示せず）をその間にセパレータ（図示せず）を介在させて巻回し、引き出し電極１０２ａ、１０２ｂを有したものである。
【０００４】
このコンデンサ素子１０１を駆動用電解液とともに有底筒状のケース１０３に収容した後、このケース１０３の開口部を端子板１０４によって封止する。
【０００５】
端子板１０４に貫通孔１０４ａを設け、この貫通孔１０４ａ上に圧力調整弁１０５が取り付けられている。
【０００６】
図５において、端子板１０４の貫通孔１０４ａ上にフィルター１０６と弁体１０７が配設され、これらを外部と連通する通気孔１０８ａを有するキャップ１０８で覆うように固定され、弁体１０７を常時閉塞させている。
【０００７】
キャップ１０８の固定には予め端子板１０４上に貫通孔１０４ａの周囲を囲うようにして設けられた凸部１０４ｂをカシメ加工等により変形させてキャップ１０８に押し当てることにより固定したものである。
【０００８】
また、この従来の圧力調整弁１０５はケース１０３内で発生したガスなどによってケース１０３内の圧力が所定の圧力以上になるとこのガスなどが貫通孔１０４ａからフィルター１０６を通過して弁体１０７を上方へ加圧してキャップ１０８内に流入し、通気孔１０８ａから放出されることによって圧力を外部に逃がすための自己復帰型のものであり、ケース１０３内での圧力の異常な上昇を防ぐことができ、また作動後には作動前の状態に復帰してケース１０３内の気密性を保持することができるものであった。
【０００９】
なお、この出願の発明に関連する先行技術文献情報としては、例えば、特許文献１が知られている。
【特許文献１】特開２００４−１３４６３２号公報
【発明の開示】
【発明が解決しようとする課題】
【００１０】
しかしながら、上記従来の構成においては、貫通孔１０４ａ上に配置したフィルター１０６に対し弁体１０７を常時圧縮状態で固定させることによってケース１０３内の液体の漏出を低減させるようにはしているものの、弁体１０８がフィルター１０６を押さえる固定部分と、圧力が所定の圧力以上になったときに弁体１０８が動作する動作部分がいずれも弁体１０８の下面側であるために、弁の作動時にこの弁体１０８の下面側からケース１０３内の液体が漏出してしまうという問題があった。
【００１１】
そこで本発明は弁体がフィルターを一定の圧力で固定しながらも、所定の圧力以上になったときに確実に動作することができ、かつ作業効率よく、所定位置に容易に配置させることのできる圧力調整弁を用いたコンデンサを提供することを目的としたものである。
【課題を解決するための手段】
【００１２】
この目的を達成するために、本発明は、貫通孔を有する端子板上にフィルターを配置させ、このフィルターを押さえるゴム製の弁体とキャップがあり、そのフィルターを押さえる円筒状の弁体は内周面上端が外周面の方向に向かって広がるようなテーパを設けた形状を有し、この弁体を押さえるキャップの内側面の一部が突出した突出部が弁体の側面に少なくとも３点で接している圧力調整弁を備えたコンデンサとするものである。
【発明の効果】
【００１３】
本発明の圧力調整弁を用いたコンデンサは、広い圧縮率範囲で動作圧が一定となり、繰り返し動作が可能となるとともに、この圧力調整弁を作業効率よく、正しい位置に容易に配置できるので、これを用いたコンデンサでは信頼性および安全性を向上することができるものである。
【発明を実施するための最良の形態】
【００１４】
以下、本発明の実施の形態１について、図を用いて説明する。
【００１５】
（実施の形態１）
図１は本発明における実施の形態１による圧力調整弁を用いたコンデンサの構成例を示した断面図であり、図１において、１はコンデンサ素子であり、アルミニウム箔などからなる正負一対の電極を互いに逆方向に位置をずらしてその間にセパレータを介在させて巻回する（すべて図示せず）ことにより構成され、このコンデンサ素子１の両端面（図１において上下方向）から正極と負極をそれぞれ取り出すように構成されたものである。
【００１６】
３はこのコンデンサ素子１を駆動用電解液（図示せず）とともに収容したアルミニウム製で有底筒状の金属ケースであり、金属ケース３内に挿入されたコンデンサ素子１の負極側の端面を金属ケース３の内底面にレーザー溶接等の手段によって機械的、かつ電気的に接合などすることによってコンデンサ素子１の負極側の引き出し電極を金属ケース３から取り出すようにしたものである。
【００１７】
４はアルミニウム製の端子板、４ａは駆動用電解液注入などに用いられる貫通孔であり、コンデンサ素子１の正極側の端面を端子板４の内面にレーザー溶接等で機械的、かつ電気的に接合し、この端子板４の周縁上で金属ケース３の開口部をその間に絶縁部材９を介在させて巻き込むようにカーリングなどの加工をすることによって封止して構成したものである。
【００１８】
このとき端子板４は正極側の引き出し電極となる。
【００１９】
このように構成された本実施の形態による端子板４の貫通孔４ａ上に圧力調整弁５が設けられている。駆動用電解液の反応などでガスが発生し圧力が異常に上昇してしまったときなどは圧力調整弁５を通じて圧力を解放することができる。
【００２０】
図２（ａ）はこの圧力調整弁５の構成を示した断面図、図２（ｂ）は圧力調整弁５に用いられるキャップの下面図である。なお、図２（ａ）は図２（ｂ）におけるＡ−Ａ'面での断面図とする。
【００２１】
図２（ａ）において６はガス透過性のシートからなるフィルターであり、このフィルター６は端子板４の下方で発生したガスなどを選択して透過させる物性のものである。
【００２２】
７はゴム製の弁体であり、略円筒状の中心軸は貫通孔４ａの中心軸とほぼ同軸上に位置するように配置している。弁体７の内周面上端は外周面の方向に向かって広がるようなテーパ７ａが設けられており、８は外部と連通している通気孔８ａを有したキャップである。
【００２３】
端子板４に設けられている貫通孔４ａを覆うようにフィルター６を配置し、その上から弁体７でフィルター６を押さえつつ、さらにこの弁体７の上からキャップ８を用いて弁体７とフィルター６を押さえるように構成される。このとき、キャップ８は端子板４上に設けられた凸部４ｂで固定されている。
【００２４】
図２（ｂ）においてキャップ８の内側面には一部が突出した突出部８ｂを有している。この突出部８ｂはキャップ８の内側面に少なくとも３カ所設けられており、この３カ所はキャップ８の中心から見てそれぞれが９０度以上離れているものとする。
【００２５】
また、図２（ａ）のように突出部８ｂは弁体７の側面に接しており、このようにすることによって弁体７はキャップ８のほぼ中心に位置させることが可能になる。
【００２６】
このようにすることによって、図１において金属ケース３に収容されている駆動用電解液を漏出させることなく、金属ケース３内の圧力が異常に上昇した際には、圧力調整弁５を通じて圧力を解放することができる。
【００２７】
従来であれば、金属ケース３内で異常に圧力が上昇した際には圧力調整弁を通じて駆動用電解液も漏出してしまう場合もあったが、本実施の形態によれば金属ケース３内で異常に圧力が上昇しても駆動用電解液の漏出のない、安全性の高いコンデンサとすることができるものである。
【００２８】
また、圧力調整弁５が動作する際には、特に弁体７が貫通孔４ａに対して、所定の位置に配置されることが重要であるが、本発明の実施の形態によれば、キャップ８を凸部４ｂによって固定すれば、弁体７を容易に所定位置に配置、固定することができるので、より安全性を高くすることができるものである。
【００２９】
さらに、弁体７はコンデンサに対して非常に小さい部品であるので、端子板４のフィルター６上に弁体７を所定位置に配置した後にキャップ８を固定するという組み立て作業は高い熟練度が必要であった。しかし、本発明の実施の形態によれば弁体７は事前にキャップ８内に圧入などして一体化させておくことが可能となるので、キャップ８を端子板４に固定するだけでよく、作業効率を向上させることも可能となる。
【００３０】
上記のように構成された圧力調整弁５は図２（ａ）のように、端子板４の下方からフィルター６を透過したガスなどによって弁体７の内部で圧力が異常に上昇すると、横方向で外部と最も距離が短い部分となる弁体７の上端面からガスなどを放出して内部の圧力を解放することとなる。
【００３１】
このように弁体７を略円筒状とし、上端面側にテーパ７ａを備えることによって弁体７の動作点を上端面側に設けた点が本発明における技術的特徴の一つであり、このようにすることで、弁体７が一定の圧力でフィルター６を下方に押さえながらも、内部の圧力が異常に上昇した際には、弁体７の上端面側で圧力を解放できるので、端子板４の下方からの液体の漏出といったこともなくなり、高い安全性を奏するものである。
【００３２】
なお、本実施の形態では突出部８ｂは弁体７の側面に３点で接するような形状としたが、これは突出部８ｂをキャップ８内側面全周としてもよく、弁体７を圧入することによって弁体７を配置、固定することによっても同様の効果を奏するものとする。
【００３３】
また、本実施の形態によれば、コンデンサ素子５の電極の引き出し電極を金属ケース３と端子板４としたが、これはコンデンサ素子５からリード線などを用いて引き出し電極としてもよいものとする。
【００３４】
さらに、弁体７をエチレンプロピレンゴムとすることで、耐油性、耐薬品性なども向上し、さらにイソプレンイソブチレンゴムとすることで、上記の効果に加え、耐水性も向上するものである。
【００３５】
（実施の形態２）
図３は本発明における実施の形態２による圧力調整弁５の構成を示した断面図である。実施の形態１と同一構成部分についてはその説明を省略する。
【００３６】
図３において、キャップ８内側面の一部を屈曲させて屈曲部８ｃを設け、この屈曲部８ｃを弁体７の側面に当接させて弁体７を固定させている。このようにすることによって弁体７はキャップ８のほぼ中心に位置させることが可能になる。
【００３７】
また、弁体７をキャップ８に一体化させることによって作業効率を向上させることも可能となる。さらに、屈曲部８ｃ近傍を通気孔として機能させることも可能であるので、通気孔を別に設ける必要がなくなるものである。
【産業上の利用可能性】
【００３８】
以上のように、本発明にかかる圧力調整弁を用いたコンデンサによれば、圧力調整弁の弁体を容易に所定位置に配置、固定することができるとともに、広い圧縮率範囲で動作圧が一定となり、繰り返し動作が可能な圧力調整弁となるものであり、この結果、これを用いたコンデンサの信頼性向上が可能になり、大電流における高信頼性などが要求される自動車のシステムなどに有用である。
【図面の簡単な説明】
【００３９】
【図１】本発明の実施の形態１によるコンデンサの断面図
【図２】（ａ）本発明の実施の形態１によるコンデンサの圧力調整弁の断面図、（ｂ）同圧力調整弁のキャップの下面図
【図３】本発明の実施の形態２によるコンデンサの圧力調整弁の断面図
【図４】従来のコンデンサの断面図
【図５】従来のコンデンサの圧力調整弁の断面図
【符号の説明】
【００４０】
１  コンデンサ素子
３  金属ケース
４  端子板
４ａ  貫通孔
４ｂ  凸部
５  圧力調整弁
６  フィルター
７  弁体
７ａ  テーパ
８  キャップ
８ａ  通気孔
８ｂ  突出部
８ｃ  屈曲部
９  絶縁部材
【図１】
2007335775.tif 000003
【図２】
2007335775.tif 000004
【図３】
2007335775.tif 000005
【図４】
2007335775.tif 000006
【図５】
2007335775.tif 000007